(57)【要約】  本発明は、ばねクリップ（１７）であって、クランプ装置（１）が設けられており、該クランプ装置（１）によって、当該ばねクリップ（１７）が、過電圧避雷器（２）の一方の側から該過電圧避雷器（２）に締め被せられるようになっており、少なくとも１つのばね腕（３）が設けられており、少なくとも１つの熱的な防護装置（４）が設けられており、該防護装置（４）が、ばね腕（３）の内面に固定されていて、溶融可能なエレメント（５）を有している形式のものに関する。熱的な防護装置（４）をばねクリップ（１７）に固定することによって、溶融可能なエレメント（５）のために低い融点を選択することができる。さらに、本発明は、ばねクリップ（１７）を備えた過電圧避雷器（２）の装置に関する。さらに、本発明は、前記装置を製作するための方法に関する。
2005513727.tif 000002
【特許請求の範囲】
【請求項１】
ばねクリップにおいて、
−クランプ装置（１）が設けられており、該クランプ装置（１）によって、当該ばねクリップが、過電圧避雷器（２）に締め被せられるようになっており、
−少なくとも１つのばね腕（３，１０）が設けられており、
−少なくとも１つの熱的な防護装置（４）が設けられており、該防護装置（４）が、ばね腕（３，１０）の内面に固定されていて、溶融可能なエレメント（５）を有していることを特徴とする、ばねクリップ。
【請求項２】
溶融可能なエレメント（５）の溶融温度が、２１０℃よりも小さく設定されている、請求項１記載のばねクリップ。
【請求項３】
防護装置（４，１４）が、絶縁エレメント（６）を有しており、該絶縁エレメント（６）が、過電圧避雷器（２）の運転電圧で絶縁体であり、ばね腕（３，１０）および溶融可能なエレメント（５）と共に電気的な直列接続を形成している、請求項１または２記載のばねクリップ。
【請求項４】
ばね腕（３，１０）が、コンタクトエレメント（７）を備えており、該コンタクトエレメント（７）が内方に延びており、該コンタクトエレメント（７）の長さ（Ｌ）が、絶縁エレメント（６）の厚さ（ｄ）よりも大きく寸法設定されている、請求項１から３までのいずれか１項記載のばねクリップ。
【請求項５】
１つのばね腕（３，１０）が、該ばね腕（３，１０）を把持するためのグリップエレメント（８）を備えている、請求項１から４までのいずれか１項記載のばねクリップ。
【請求項６】
ばねベース（９）に固定された、反対の側に位置する２つのばね腕（３，１０）が設けられており、ばねベース（９）にばね腕（３，１０）の間で、当該ばねクリップを過電圧避雷器（２）に締め被せるための、互いに反対の側に位置する２つのばね脚（１１，１２）が配置されている、請求項１から５までのいずれか１項記載のばねクリップ。
【請求項７】
防護装置（４）が、固定エレメント（１３）によってばね腕（３，１０）に固定されている、請求項１から６までのいずれか１項記載のばねクリップ。
【請求項８】
防護装置（４）が、ばね腕（３）にはんだ付け、接着またはリベット締めによって結合されている、請求項１から７までのいずれか１項記載のばねクリップ。
【請求項９】
絶縁エレメント（６）が、溶融可能なエレメント（５）にはんだによってはんだ付けされており、該はんだの溶融温度が、溶融可能なエレメント（５）の溶融温度よりも小さく設定されている、請求項１から８までのいずれか１項記載のばねクリップ。
【請求項１０】
絶縁エレメント（６）が、バリスタである、請求項３から９までのいずれか１項記載のばねクリップ。
【請求項１１】
共通のばねベース（９）に、反対の側に位置する２つのばね腕（３，１０）が設けられており、各ばね腕（３，１０）の内面に防護装置（４，１４）が固定されている、請求項１から１０までのいずれか１項記載のばねクリップ。
【請求項１２】
溶融可能なエレメント（５）または絶縁エレメント（６）が、孔（３１）を備えている、請求項１から１１までのいずれか１項記載のばねクリップ。
【請求項１３】
過電圧避雷器（２）の装置において、
−少なくとも１つの外側電極（１５，１６）が設けられており、
−請求項１から１１までのいずれか１項記載のばねクリップ（１７）が設けられており、
−過電圧避雷器（２）が、プリント配線板（１８）にはんだ付けされており、
−１つのばね腕（３，１０）が、１つの熱的な防護装置（４，１４）を１つの外側電極（１５，１６）に向かって押圧するようになっていることを特徴とする、過電圧避雷器の装置。
【請求項１４】
過電圧避雷器（２）の装置において、
−２つの外側電極（１５，１６）が設けられており、
−請求項１１記載のばねクリップ（１７）が設けられており、
−過電圧避雷器（２）が、プリント配線板（１８）にはんだ付けされており、
−各ばね腕（３，１０）が、１つの防護装置（４，１４）を１つの外側電極（１５，１６）に向かって押圧するようになっていることを特徴とする、過電圧避雷器の装置。
【請求項１５】
過電圧避雷器（２）が、プリント配線板（１８）にはんだによってはんだ付けされており、該はんだの溶融温度が、溶融可能なエレメント（５）の溶融温度よりも大きく設定されている、請求項１３または１４記載の装置。
【請求項１６】
請求項１３から１５までのいずれか１項記載の装置を製作するための方法において、以下のステップ：すなわち、
ａ）過電圧避雷器（２）をプリント配線板（１８）にはんだ付けし、
ｂ）ばねクリップ（１７）を過電圧避雷器（２）に締め被せる
が設けられていることを特徴とする、装置を製作するための方法。
【発明の詳細な説明】
【技術分野】
【０００１】
本発明は、過電圧避雷器に緊締するためのばねクリップに関する。さらに、本発明は、ばねクリップを備えた過電圧避雷器の装置に関する。さらに、本発明は、前記装置を製作するための方法に関する。
【０００２】
アメリカ合衆国特許第５３８８０２３号明細書に基づき、冒頭で述べた形式の過電圧避雷器が公知である。この公知の過電圧避雷器には、短絡クリップが設けられている。この短絡クリップは過電圧避雷器の中心電極に固定されている。短絡クリップのそれぞれ１つのばね腕と、過電圧避雷器のそれぞれ１つの外側電極との間には、溶融可能なエレメントとバリスタとが挟み込まれている。過電圧避雷器と、ばねと、溶融可能なエレメントと、バリスタとを組み立てた後、過電圧避雷器が適宜な使用事例に供給され、このために、たとえばプリント配線板にはんだ付けされる。
【０００３】
この場合、溶融可能なエレメントは、過電圧避雷器を故障事例で過熱に対して防護するために、ヒューズとして働く。公知の過電圧避雷器は、ヒューズによって、確かに過電圧避雷器の過熱ひいては火災の発生を有効に阻止することができるが、避雷器をプリント配線板に保持するはんだを溶融しかつひいては避雷器を解離するのに、ヒューズを溶融するために必要となる熱エネルギで十分となる危険があるという欠点を有している。
【０００４】
この問題を解決するためには、ヒューズを極めて低い融点で過電圧避雷器に組み込むことが恐らく必要となる。しかし、このことは、公知の過電圧避雷器では不可能である。なぜならば、極めて低い温度で溶融するヒューズが、プリント配線板への避雷器のはんだ付け過程に耐えられないからである。
【０００５】
本発明の課題は、過電圧避雷器に使用するためのばねクリップを改良して、低い溶融温度を備えた溶融可能なエレメントを使用することが可能となるようにすることである。さらに、本発明の課題は、過電圧避雷器の装置を提供することである。この場合、過電圧避雷器は迅速な解離に対して防護されている。さらに、本発明の課題は、このような装置を製作するための方法を提供することである。
【０００６】
これらの課題は、請求項１記載のばねクリップ、請求項１２もしくは１３記載の、過電圧避雷器の装置ならびに請求項１６記載の、装置を製作するための方法によって解決される。ばねクリップもしくは過電圧避雷器装置の有利な構成は従属請求項から知ることができる。
【０００７】
クランプ装置を有するばねクリップが提供される。クランプ装置によって、ばねクリップを過電圧避雷器に締め被せることができる。さらに、ばねクリップは少なくとも１つのばね腕を有している。さらに、ばねクリップは熱的な防護装置を有している。この防護装置はばね腕の内面に固定されている。さらに、防護装置は溶融可能なエレメントを有している。
【０００８】
１つの利点は、ばねクリップと、熱的な過負荷に対する防護装置との前組付けから得られる。これによって、過電圧避雷器がプリント配線板にはんだ付けされた後に初めて、ばねクリップを防護装置を含めて組み付けることが達成される。組付けは、過電圧避雷器の一方の側から、たとえば過電圧避雷器の、プリント配線板と反対の側で行うことができる。
【０００９】
すなわち、過電圧避雷器は組付けの時点ですでに固くはんだ付けされており、したがって、過電圧避雷器を固くはんだ付けするためのはんだを溶融する温度がもはや生ぜしめられないので、溶融可能なエレメントのために、特に低融点の材料を使用することができる。これによって、ばねクリップを備えた過電圧避雷器の解離の危険が減少させられる。
【００１０】
たとえば２１０℃よりも小さな溶融温度の溶融可能なエレメントを使用することが考慮される。このような溶融可能なエレメントは、その溶融温度が、一般的に噴流はんだ付け時にかつリフロはんだ付け時に使用される２１０〜２８０℃の温度よりも小さく設定されているという利点を有している。これによって、熱的な防護装置の解離に対する高い安全性がすでに比較的低い温度で保証される。
【００１１】
さらに、熱的な防護装置が絶縁エレメントを有していてよい。この絶縁エレメントは過電圧避雷器の運転電圧で絶縁体である。絶縁エレメントはばね腕および溶融可能なエレメントと共に電気的な直列接続を形成している。
【００１２】
絶縁エレメントによって、ノーマル運転事例において、ばねクリップを介して電流が過電圧避雷器の２つの電極の間を流れることができないことが達成される。これによって、ノーマル運転事例では、ばねクリップもしくはばね腕が電気的に無効となる。
【００１３】
さらに、ばね腕はコンタクトエレメントを備えていてよい。このコンタクトエレメントはばね腕から内方に延びている。コンタクトエレメントの長さは絶縁エレメントの厚さよりも大きく寸法設定されている。
【００１４】
これによって、溶融可能なエレメントの溶融時にばねクリップのばね腕と過電圧避雷器の外側電極との間の確実なコンタクトを形成することができるという利点が得られる。
【００１５】
１つのばね腕には、このばね腕を把持するためのグリップエレメントが配置されていてよい。
【００１６】
これに基づき、ばね腕を過電圧避雷器へのばねクリップの締被せ時に外方に押圧することができ、したがって、ばねクリップの容易な締被せを行うことができるという利点が得られる。
【００１７】
特に三電極型避雷器で使用するためには、ばねベースに、互いに反対の側に位置する２つのばね腕が配置されており、ばねベースに両ばね腕の間で、ばねクリップを過電圧避雷器に締め被せるための、互いに反対の側に位置する２つのばね脚が配置されていることが規定されていてよい。
【００１８】
このようなばねクリップは、過電圧避雷器へのばねクリップの締被せの機能と、熱的な防護装置の枠内でのばね腕の機能とが互いに分離されているという利点を有している。これによって、高められた運転確実性が得られる。さらに、簡単にばねクリップを三電極型避雷器の中心電極に締め被せることができる。これによって、ばね腕と過電圧避雷器の中心電極との間の所要の電気的なコンタクティングを同時に達成することができる。
【００１９】
さらに、防護装置は固定エレメントによってばね腕に固定されていてよい。
【００２０】
これによって、防護装置自体を、前組付けされた固有のモジュールとして提供することができ、このモジュールを特殊な固定エレメントによって簡単にかつ大きな手間なしにばねクリップに固定することができるという利点が得られる。
【００２１】
別の構成では、防護装置がばね腕にはんだ付け、接着またはリベット締めによって結合されていてよい。
【００２２】
接着のためには、特に導電性の接着剤が考慮される。はんだ付けのためには、溶融可能なエレメントの溶融温度よりも小さな溶融温度の軟ろうもしくははんだを使用することが考慮される。これによって、防護装置とばねクリップとのはんだ付け時に溶融可能なエレメントがもはや溶融せず、したがって、その外側の形状を維持しているという利点が得られる。
【００２３】
このようなはんだの溶融温度は、たとえば１３０℃に設定されていてよい。溶融可能なエレメントの溶融温度が約２００℃に設定されていると有利である。
【００２４】
絶縁エレメントは溶融可能なエレメントにはんだ付けによって結合されていてよい。この事例でも、有利には、溶融可能なエレメントの溶融温度よりも小さな溶融温度のはんだが使用される。
【００２５】
絶縁エレメントは、たとえばプラスチック成形部材であってよい。しかし、特に精密防護機能を過電圧避雷器に達成するために、絶縁エレメントとしてバリスタを使用することも考慮される。この場合、このバリスタが過電圧避雷器の運転電圧で可変の抵抗として作用することに注意を払いさえすればよい。さらに、１つのばねクリップにおいて、共通のばねベースに、反対の側に位置する２つのばね腕を設けることができ、各ばね腕の内面に１つの防護装置を固定することができる。
【００２６】
このようなばねクリップは、特に三電極型過電圧避雷器での使用のために適しているという利点を有している。
【００２７】
さらに、過電圧避雷器の装置が提供される。この場合、少なくとも１つの外側電極を備えた過電圧避雷器のほかに、上述したばねクリップが設けられている。過電圧避雷器はプリント配線板にはんだ付けされている。ばねクリップは過電圧避雷器に締め被せられている。１つのばね腕は１つの熱的な防護装置を過電圧避雷器の１つの外側電極に向かって押圧する。
【００２８】
過電圧避雷器のこのような装置は、防護装置のために、極めて低融点の溶融可能なエレメントを使用することができるという利点を有している。なぜならば、ばねクリップに基づき、過電圧避雷器への防護装置の追補的な組付けが可能となるからである。
【００２９】
さらに、過電圧避雷器の装置が提供される。この場合、過電圧避雷器は２つの外側電極を有している。さらに、過電圧避雷器は、詳しく上述した、三電極型過電圧避雷器のために適しているようなばねクリップを有している。過電圧避雷器はプリント配線板にはんだ付けされている。ばねクリップは、互いに反対の側に位置する２つのばね腕を有している。各ばね腕は１つの防護装置を過電圧避雷器の１つの外側電極に向かって押圧する。
【００３０】
さらに、過電圧避雷器の装置が提供される。この装置では、過電圧避雷器が、溶融可能なエレメントの溶融温度よりも大きな溶融温度のはんだによってプリント配線板にはんだ付けされている。
【００３１】
さらに、過電圧避雷器の装置を製作するための方法が提供される。この場合、第１のステップで過電圧避雷器がプリント配線板にはんだ付けされる。これに続くステップでは、ばねクリップが過電圧避雷器に緊締される。
【００３２】
この方法は、ばねクリップの溶融可能なエレメントのために、低い溶融温度を備えた溶融可能なエレメントを使用することができるという利点を有している。なぜならば、ばねクリップの締被せひいては過電圧避雷器への溶融可能なエレメントの取付けが、プリント配線板への過電圧避雷器の固いはんだ付けの後に初めて行われるからである。
【００３３】
以下に、本発明の実施例を図面につき詳しく説明する。
【００３４】
全ての図面には、同じ符号が、互いに相当するエレメントを示していることが当てはまる。
【００３５】
図１には、二電極型過電圧避雷器２が示してある。この二電極型過電圧避雷器２はプリント配線板１８に固定されている。この固定は外側電極１５，１６によって行われている。この外側電極１５，１６はプリント配線板１８にはんだ付けされている。この場合、一方の外側電極１６は、過電圧避雷器２をはんだ付けの間に転がりずれに対して防護するために、平らな縁部を有している。さらに、ばねクリップ１７が設けられている。このばねクリップ１７は第１のばね腕３と別のばね腕１０とを有している。両ばね腕３，１０はクランプ装置１を形成している。このクランプ装置１によって、ばねクリップ１７が過電圧避雷器２に組み付けられる。ばね腕３には、固定エレメント１３によって熱的な防護装置４が固定されている。この場合、この熱的な防護装置４は溶融可能なエレメント５と絶縁エレメント６とを有している。溶融可能なエレメント５と絶縁エレメント６とは、はんだ付けによって互いに結合されている。同じく熱的な防護装置４も固定エレメント１３にはんだ付けによって結合されている。この固定エレメント１３はばね腕３に差し被せられている（図２も参照）。コンタクトエレメント７が設けられている。このコンタクトエレメント７の長さＬは絶縁エレメント６の厚さｄよりも大きく寸法設定されている。したがって、溶融可能なエレメント５の溶融時には、コンタクトエレメント７を介してばね腕３と外側電極１６との間に電気的なコンタクトを形成することができることが確保される。さらに、グリップエレメント８が設けられている。このグリップエレメント８は工具によって把持することができ、ばね腕３，１０を過電圧避雷器２への組付け時に互いに離れる方向に拡開させるために働く。
【００３６】
図２には、外側電極１５，１６を備えた過電圧避雷器２が示してある。さらに、中心電極１９が設けられている。ばねクリップ１７はばねベース９を有している。このばねベース９には第１のばね脚１１が配置されている。この第１のばね脚１１は２つの部分から形成されていて、過電圧避雷器２の中心の区分でこの過電圧避雷器２に締め被せられている。さらに、ばね腕３，１０が設けられている。このばね腕３，１０はそれぞれ１つの熱的な防護装置４，１４をそれぞれ１つの外側電極１５，１６に向かって押圧する。熱的な防護装置４はそれぞれ溶融可能なエレメント５と絶縁エレメント６とから形成されている。この絶縁エレメント６はバリスタであってもよいし、プラスチック成形部材であってもよい。固定エレメント１３は伝導性の金属材料、有利には黄銅から成っている。固定エレメント１３は、全周にわたって延びる切欠き２０を有している。この切欠き２０は、ばね腕３，１０の組付けスリット２２（図４参照）への固定のために働く。固定エレメント１３は管材料から製造されていてもよいし、中実材料から製造されていてもよい。はんだ付け可能性を改善するためには、バリスタであってよい絶縁エレメント６と、固定エレメント１３とが、電気めっきによる被覆層を有している。有利には、バリスタとして形成された絶縁エレメント６がさらに付加的に銀めっきされている。有利には、固定エレメントがスズめっきされているかまたはスズ合金によって被覆されている。場合によって生ぜしめられる過剰の軟ろうもしくははんだを収容するためには、絶縁エレメント６および／または溶融可能なエレメント５が孔３１を備えていてよい。
【００３７】
第１のステップでは、固定エレメント１３と、絶縁エレメント６と、溶融可能なエレメント５とが一緒にはんだ付けされる。溶融可能なエレメント５は、この実施例では、はんだ板として形成されている。はんだ付けははんだによって行われる。このはんだの溶融温度は、有利には１３０℃であり、いずれにせよ、溶融可能なエレメント５の溶融温度よりも小さく設定されている。溶融可能なエレメント５の溶融温度は、有利には１９０〜１９８℃であり、いずれにせよ、過負荷時に、ばねクリップによって伝えられる短絡が、明らかにプリント配線板からの過電圧避雷器２の解離前に生ぜしめられるように選択されていることが望ましい。固定エレメント１３と、絶縁エレメント６と、溶融可能なエレメント５とは電気的に直列接続されている。
【００３８】
絶縁エレメント６は固定エレメント１３と溶融可能なエレメント５との間に配置されている。しかし、溶融可能なエレメント５と絶縁エレメント６との異なる順序が選択されていてもよい。本事例では、溶融可能なエレメント５が外側電極１５，１６にコンタクティングしている。外側電極１５は、図２に示したように、付加的なコンタクト膨出部を備えていなくてもよいし、図５に示したように、付加的なコンタクト膨出部２５を備えていてもよい。
【００３９】
次いで、固定エレメント１３と、絶縁エレメント６と、溶融可能なエレメント５とを備えた前はんだ付けされたアッセンブリが、固定エレメント１３でばね腕３の組付けスリット２２（図４参照）に組み付けられる。ばねクリップ１７はばね材料、有利には銅−ベリリウムから成っている。小さな移行抵抗およびコンタクト抵抗を獲得しかつはんだ付け可能性を改善するためには、ばねクリップ１７が、有利にはスズまたはスズ合金から成る電気めっきによる被覆層を有していると有利である。図４によれば、組付けスリット２２は１つまたは２つの突出部２４を備えている。この突出部２４は固定エレメントの滑出しを阻止するようになっている。ばね腕３の拡開は、付加的にさらにスリット２３によって助成することができる。固定エレメント１３は、全周にわたって延びる切欠き２０を有している。この切欠き２０によって、固定エレメント１３を組付けスリット２２に固定することができる。
【００４０】
固定エレメント１３の固定後およびプリント配線板への過電圧避雷器２のはんだ付け後には、ばねクリップ１７を単純な組付け工具によってグリップエレメント８で把持することができ、拡開することができる。このグリップエレメント８は、絶縁エレメント６だけでなく溶融可能なエレメント５も、すでにはんだ付けされた過電圧避雷器２へのばねクリップ１７の組付けの間に機械的に防護されているという利点を有している。しかし、全ての実施例をグリップエレメント８なしに形成することも可能である。
【００４１】
ばねクリップ１７の拡開後、このばねクリップ１７がばね脚１１，１２（図４参照）で避雷器２の一方の側からの被嵌めによって過電圧避雷器２の中心区分にわたって緊締される。この場合、過電圧避雷器２の中心電極１９はガイドエレメントおよび電気的なコンタクトエレメントとして働くことができる。このためには、中心電極１９が、ばね脚１１，１２の両部分の間に配置されたスリットにガイドされる。外側電極１５，１６の外径は、過電圧避雷器２の、外側電極１５，１６に直接隣接した部分の直径と同じ大きさであるかまたは幾分大きく寸法設定されている。これによって、プリント配線板への噴流はんだ付けまたはリフロはんだ付けによる良好なはんだ付けを保証することができる。外側電極１５，１６は円形に成形されていてもよいし、正方形に成形されていてもよい。外側電極１５，１６の正方形の成形によって、プリント配線板からの過電圧避雷器２の転がりずれを阻止することができる。
【００４２】
コンタクトエレメント７と防護装置４，１４との幾何学的な寸法は、十分なエアギャップ２１がコンタクトエレメント７と外側電極１５，１６との間に残るように選択されている。さらに、図２から知ることができるように、ばね脚１１，１２は過電圧避雷器２の外側寸法を越えて張り出していない。これによってしか、ばねクリップ１７を、プリント配線板への過電圧避雷器２の固いはんだ付け後でも、まだ確実に締め被せることが可能とならない。
【００４３】
ばね腕３，１０と中心電極１９との電気的なかつ機械的な接続はばねベース９を介して行われる。
【００４４】
図３には、グリップエレメント８とコンタクトエレメント７とを備えた、図２に示したばねクリップ１７が示してある。
【００４５】
図４には、図２に示したばねクリップ１７が示してある。ばねベース９の幅Ｂは熱的な防護装置４の直径Ｄよりも幾分大きく寸法設定されている。これによって、熱的な防護装置４が組付けプロセス時に機械的に防護されている（図２も参照）。
【００４６】
図５には、図２に示した過電圧避雷器２を備えたばねクリップ１７が示してある。しかし、この場合、外側電極１５，１６がコンタクト膨出部２５を備えている。このコンタクト膨出部２５は、有利には外側電極１５，１６の外側の平面を数十分の一ミリメートルだけ越えて張り出すことができる。ばね腕３，１０の、溶融可能なエレメント５と絶縁エレメント６とを介してコンタクト膨出部２５に伝達されるばね力によって、高いコンタクト力が形成される。このコンタクト力は永続的に形成され、高い電流の確実な伝達を保証する。平らな外側電極１５，１６が使用されてもよいし、凸状に成形された外側電極１５，１６が使用されてもよい。平らなまたは凸状の輪郭は凹設部によって中断されていてよい。
【００４７】
図６には、図２に相応の過電圧避雷器２を備えたばねクリップ１７が示してある。しかし、図２と異なり、固定エレメント１３がプラスチック成形部材である。このプラスチック成形部材は切欠き２６を有している。この切欠き２６によって、固定エレメント１３をばね腕３，１０に被せ嵌めることができる。さらに、固定エレメント１３はばねエレメント２９を有している。このばねエレメント２９には熱的な防護装置４，１４が差し込まれている。さらに、固定エレメント１３は孔２７を有している。この孔２７を通って、ばね腕３，１０のコンタクト膨出部２８が係合する。孔２７は、ばね腕３，１０への固定エレメント１３の固定を確保するために働く。図６によれば、絶縁エレメント６が固定エレメント１３に差し込まれている。
【００４８】
図７には、図２に相応の過電圧避雷器２を備えたばねクリップ１７が示してある。図２と異なり、固定エレメント１３は設けられていない。むしろ、ばね腕３，１０と、溶融可能なエレメント５と、絶縁エレメント６とが互いに直接はんだ付けされている。このはんだ付けは、有利には約１３０℃の溶融温度を備えた低融点はんだによって行われる。溶融可能なエレメント５と絶縁エレメント６との位置を交換することが可能となる。
【００４９】
図８にも、固定エレメント１３は設けられていない。むしろ、溶融可能なエレメント５が成形部材として形成されている。この成形部材は張出し部３０を有している。この張出し部３０は、ばね腕３，１０に設けられた孔に係合し、そこにリベット締めすることができる。図８には、グリップエレメント８も設けられていない。むしろ、コンタクトエレメント７しか設けられていない。しかし、このコンタクトエレメント７をグリップエレメントとして使用することもできる。
【００５０】
別の実施例では、前述した軟ろう付けもしくははんだ付けを伝導性の接着剤、たとえば銀接着剤による接着によって置き換えることができる。
【００５１】
別の実施例では、過電圧避雷器の精密防護機能を省略することができ、したがって、絶縁エレメント６をバリスタとしてではなく、単純な絶縁体、たとえばプラスチックディスクとして形成することができる。このプラスチックディスクは接着剤によって、溶融可能なエレメント５に接着することができる。しかし、プラスチックディスクはばね腕３に直接接着されてもよい。プラスチックディスクは円形の面にはんだ付け可能な層を備えることができる。これによって、熱的な防護装置４，１４をはんだ付けすることが可能となる。バリスタの代わりに絶縁エレメント６として単純な絶縁体を設けることは、過電圧避雷器の精密防護機能を備えた構成および精密防護機能を備えていない構成に対して同一のばねクリップ１７を使用することができ、したがって、別の構成部材／変更が不要となるという利点を有している。
【００５２】
同じく、別の構成では、絶縁エレメント６だけでなく、溶融可能なエレメント５もプラスチックから製作されていてよい。
【００５３】
本発明は、三電極型避雷器に限定されるものではなく、任意のあらゆる避雷器のために使用することができる。
【図面の簡単な説明】
【００５４】
【図１】過電圧避雷器の配置形式を概略的な横断面図で例示的に示す図である。
【００５５】
【図２】過電圧避雷器を備えたばねクリップを概略的な横断面図で例示的に示す図である。
【００５６】
【図３】クランプ装置と２つのばね腕とを備えた、図２に示したばねクリップを示す図である。
【００５７】
【図４】図３に示したＡ−Ａ線に沿ったばねクリップを示す図である。
【００５８】
【図５】過電圧避雷器を備えたばねクリップの別の構成を概略的な横断面図で例示的に示す図である。
【００５９】
【図６】過電圧避雷器を備えたばねクリップの別の構成を概略的な横断面図で例示的に示す図である。
【００６０】
【図７】過電圧避雷器を備えたばねクリップの別の構成を概略的な横断面図で例示的に示す図である。
【００６１】
【図８】過電圧避雷器を備えたばねクリップの別の構成を概略的な横断面図で例示的に示す図である。
【符号の説明】
【００６２】
１  クランプ装置、  ２  過電圧避雷器、  ３  ばね腕、  ４  防護装置、  ５  溶融可能なエレメント、  ６  絶縁エレメント、  ７  コンタクトエレメント、  ８  グリップエレメント、  ９  ばねベース、  １０  ばね腕、  １１，１２  ばね脚、  １３  固定エレメント、  １４  防護装置、  １５，１６  外側電極、  １７  ばねクリップ、  １８  プリント配線板、  １９  中心電極、  ２０  切欠き、  ２１  エアギャップ、  ２２  組付けスリット、  ２３  スリット、  ２４  突出部、  ２５  コンタクト膨出部、  ２６  切欠き、  ２７  孔、  ２８  コンタクト膨出部、  ２９  ばねエレメント、  ３０  張出し部、  ３１  孔、  Ｂ  幅、  Ｄ  直径、  ｄ  厚さ、  Ｌ  長さ
【図１】
2005513727.tif 000003
【図２】
2005513727.tif 000004
【図３】
2005513727.tif 000005
【図４】
2005513727.tif 000006
【図５】
2005513727.tif 000007
【図６】
2005513727.tif 000008
【図７】
2005513727.tif 000009
【図８】
2005513727.tif 000010
【国際調査報告】
2005513727.tif 000011
2005513727.tif 000012
2005513727.tif 000013
2005513727.tif 000014